(57)【要約】【課題】  乗員にランフラットタイヤとホイールとの嵌合力に関する情報を知らせるランフラットタイヤの警報装置を提供することを課題とする。【解決手段】  ランフラットタイヤがランフラット状態になったか否かを検知するランフラット状態検知手段と、車両の旋回を検知する車両旋回検知手段と、ランフラット状態検知手段によってランフラット状態を検知した後に車両旋回検知手段によって車両の旋回を検知した場合に警報を出力する警報出力手段とを備えることを特徴とする。【選択図】  図３
2006199150.tif 000002
【特許請求の範囲】
【請求項１】
ランフラットタイヤがランフラット状態になったか否かを検知するランフラット状態検知手段と、
車両の旋回を検知する車両旋回検知手段と、
前記ランフラット状態検知手段によってランフラット状態を検知した後に前記車両旋回検知手段によって車両の旋回を検知した場合に警報を出力する警報出力手段と
を備えることを特徴とするランフラットタイヤの警報装置。
【請求項２】
前記車両旋回検知手段は、車両の横加速度を検知する横加速度検知手段であり、
前記警報出力手段は、前記横加速度検知手段によって検知した車両の横加速度が所定横加速度より大きい場合に警報を出力することを特徴とする請求項１に記載するランフラットタイヤの警報装置。
【請求項３】
車速を検知する車速検知手段を備え、
前記警報出力手段は、前記車速検知手段によって検知した車速が所定車速より大きい場合に警報を出力することを特徴とする請求項１に記載するランフラットタイヤの警報装置。
【発明の詳細な説明】
【技術分野】
【０００１】
本発明は、ランフラットタイヤを装着した車両におけるランフラットタイヤの警報装置に関する。
【背景技術】
【０００２】
ランフラットタイヤは、パンクした場合でも、一定の距離なら走行可能なタイヤである。ランフラットタイヤとしては、タイヤのサイドウォールを補強ゴムで補強するサイド補強式とタイヤの内部に中子を入れる中子式があり、サイド補強や中子によって車重によるタイヤの変形を抑えている。
【０００３】
ランフラットタイヤを装着している車両では、ランフラット状態でもある程度高い車速でも走行可能である。ランフラット状態で走行中に旋回すると、タイヤのリード部とホイールとの嵌合力が低下する可能性があり、嵌合力が低下するとタイヤのリード部とホイールの接触が著しく弱まる。そこで、ランフラットタイヤを装着した車両には、タイヤとホイールとの嵌合力低下を防止するための構造が採られているものがあり、例えば、ビード部の底部にリム部補強層を設けたものがある（特許文献１参照）。
【０００４】
高速道路のランプウェイやワインディングロードなどにおいて、高速で旋回した場合には大きな横加速度が発生する。ランフラット状態で走行中に車両に作用する横加速度が大きくなるほど、タイヤとホイールとの嵌合力が低下する可能性が高くなる。そのため、従来の嵌合力低下防止構造でも、摩擦によってリム部補強層を固定しているだけなので、大きな横加速度が作用するとタイヤとホイールとの嵌合力が低下してしまう恐れがある。
【特許文献１】特開平１１−３１００１４号公報
【発明の開示】
【発明が解決しようとする課題】
【０００５】
ランフラットタイヤとホイールとの嵌合力が低下すると、ステアリング操作に応じてホイールが転舵しているにもかかわらず、そのランフラットタイヤがホイールに追従して転舵せず、応答が遅れる。その結果、車両の運動性能（特に、操安性）が低下し、車両の安定性が低下する。このような状態に陥らないように、運転者はランフラットタイヤとホイールとの嵌合力が低下する可能性がある場合には車速を低下させるなどして横加速度を抑える必要がある。そのためには、運転者が、ランフラットタイヤとホイールとの嵌合力が低下する可能性がある状態であることを知る必要がある。しかし、従来の警報装置には、タイヤの空気圧の異常（パンクしたこと）を知らせるものはあるが、ランフラットタイヤとホイールとの嵌合力に関する情報を知らせるものはない。
【０００６】
そこで、本発明は、乗員にランフラットタイヤとホイールとの嵌合力に関する情報を知らせるランフラットタイヤの警報装置を提供することを課題とする。
【課題を解決するための手段】
【０００７】
本発明に係るランフラットタイヤの警報装置は、ランフラットタイヤがランフラット状態になったか否かを検知するランフラット状態検知手段と、車両の旋回を検知する車両旋回検知手段と、ランフラット状態検知手段によってランフラット状態を検知した後に車両旋回検知手段によって車両の旋回を検知した場合に警報を出力する警報出力手段とを備えることを特徴とする。
【０００８】
このランフラットタイヤの警報装置では、ランフラット状態検知手段によりランフラット状態になったか否かを検知する。ランフラット状態になったことを検知した場合、警報装置では、車両旋回検知手段により車両が旋回しているか否かを検知する。そして、警報装置では、警報出力手段により、ランフラット状態後に車両が旋回していると検知した場合、乗員に対して警報を出力する。旋回すると車両には横加速度が作用するので、この横加速度によってランフラット状態のタイヤではホイールとの嵌合力は低下する可能性がある。そこで、警報によって、嵌合力低下の可能性があることを乗員（特に、運転者）に知らせる。これによって、運転者は、車両を減速させるなどして横加速度を抑え、タイヤとホイールとの嵌合力が低下することを未然に防止できる。その結果、車両の運動性能の低下を防止できる。また、運転者によって、早期に、修理工場に行くなどの対処措置が採られる。
【０００９】
本発明の上記ランフラットタイヤの警報装置では、車両旋回検知手段は、車両の横加速度を検知する横加速度検知手段であり、警報出力手段は、横加速度検知手段によって検知した車両の横加速度が所定横加速度より大きい場合に警報を出力する構成としてもよい。
【００１０】
このランフラットタイヤの警報装置では、横加速度検知手段により車両の横加速度を検知する。そして、警報装置では、警報出力手段により、ランフラット状態検知後に検知した横加速度と所定横加速度とを比較し、所定横加速度より大きい場合に警報を出力する。ランフラットタイヤとホイールとの関係により、ランフラットタイヤとホイールとの嵌合力が低下する際の横加速度は決まっている。そこで、所定横加速度を、この嵌合力が低下する際の横加速度に基づいて設定する。例えば、所定横加速度をこの嵌合力が低下する際の横加速度より小さい横加速度に設定した場合、タイヤとホイールとの嵌合力が低下する可能性のある段階で警報を出力することができる。また、所定横加速度をこの嵌合力が低下する際の横加速度程度の横加速度に設定した場合、タイヤとホイールとの嵌合力が低下した段階で警報を出力することができる。
【００１１】
本発明の上記ランフラットタイヤの警報装置では、車速を検知する車速検知手段を備え、警報出力手段は、車速検知手段によって検知した車速が所定車速より大きい場合に警報を出力する構成としてもよい。
【００１２】
このランフラットタイヤの警報装置では、車速検出手段により車両の車速を検知する。そして、警報装置では、警報出力手段により、ランフラット状態検知後に旋回していると検知されたときに車速と所定車速とを比較し、所定車速より大きい場合に警報を出力する。車両が旋回中に車速が高くなるほど、車両に作用する横加速度が大きくなり、ランフラットタイヤとホイールとの嵌合力が低下する可能性も高くなる。そこで、所定車速を、車速と横加速度との関係やランフラットタイヤとホイールとの嵌合力が低下する際の横加速度などに基づいて設定する。この設定される所定車速の大きさによって、タイヤとホイールとの嵌合力が低下する可能性のある段階で警報を出力したり、あるいは、タイヤとホイールとの嵌合力が低下した段階で警報を出力することができる。
【発明の効果】
【００１３】
本発明によれば、乗員にランフラットタイヤとホイールとの嵌合力に関する情報を知らせることができ、特に、ランフラットタイヤとホイールとの嵌合力が低下する可能性のある段階で乗員に知らせることができる。
【発明を実施するための最良の形態】
【００１４】
以下、図面を参照して、本発明に係るランフラットタイヤの警報装置の実施の形態を説明する。
【００１５】
本実施の形態では、本発明を、ランフラットタイヤを装着する車両に搭載される警報装置に適用する。本実施の形態に係る警報装置は、通常のパンク状態（ランフラット状態）を検知し、パンク状態を検知した場合にはランフラットタイヤとホイールとの嵌合力が低下する可能性のあるときにウォーニングランプによって乗員に知らせる。本実施の形態には、２つの形態があり、第１の実施の形態が横加速度を用いて嵌合力低下の可能性を判定する構成であり、第２の実施の形態が操舵角と車速を用いて嵌合力低下の可能性を判定する構成である。
【００１６】
図１及び図２を参照して、第１の実施の形態に係る警報装置１について説明する。図１は、第１の実施の形態に係る警報装置の構成図である。図２は、ランフラットタイヤとホイールとの嵌合力が低下する際の車速と横加速度との関係を示す図である。
【００１７】
警報装置１は、ランフラットタイヤのパンク状態及びパンク状態を検知した後のタイヤとホイールとの嵌合力の低下する可能性のある状態をそれぞれ検知し、各状態を検知した場合にはウォーニングランプによって乗員に各状態を知らせる。そのために、警報装置１は、右前輪空気圧センサ２、左前輪空気圧センサ３、右後輪空気圧センサ４、左後輪空気圧センサ５、横加速度センサ６、ウォーニングランプ７及びＥＣＵ[Electronic Control Unit]８などを備えている。
【００１８】
なお、第１の実施の形態では、空気圧センサ２，３，４，５及びＥＣＵ８における処理が特許請求の範囲に記載するランフラット状態検知手段に相当し、横加速度センサ６及びＥＣＵ８における処理が特許請求の範囲に記載する車両旋回検知手段に相当し、横加速度センサ６が特許請求の範囲に記載する横加速度検知手段に相当し、ウォーニングランプ７及びＥＣＵ８における処理が特許請求の範囲に記載する警報出力手段に相当する。
【００１９】
空気圧センサ２，３，４，５は、各輪のランフラットタイヤに取り付けられ、ランフラットタイヤの空気圧を検出するセンサである。空気圧センサ２，３，４，５では、その検出値を空気圧信号ＡＳとしてＥＣＵ８に送信する。横加速度センサ６は、車両に作用する横方向（左右方向）の加速度の大きさと方向を検出するセンサである。横加速度センサ６では、その検出値を横加速度信号ＹＳとしてＥＣＵ８に送信する。
【００２０】
ウォーニングランプ７は、コンビネーションメータ内に設けられ、ランフラットタイヤに関する異常を知らせるランプである。ウォーニングランプ７では、ＥＣＵ８からの警報信号ＷＳに正常を示す信号が設定されている場合には消灯し、警報信号ＷＳにパンク警報を示す信号が設定されている場合には点灯し、警報信号ＷＳに嵌合力低下可能性警報を示す信号が設定されている場合には点滅する。なお、この警報信号ＷＳはウォーニングランプ７に直接送信されるのではなく、コンビネーションメータのＥＣＵに送信され、このＥＣＵによる電流制御によってウォーニングランプ７が消灯、点灯、点滅する。
【００２１】
ＥＣＵ８は、ＣＰＵ[Central Processing Unit]、ＲＯＭ[Read Only Memory]、ＲＡＭ[Random Access Memory]などからなる電子制御ユニットであり、警報装置１の制御装置として機能する。ＥＣＵ８では、一定時間毎に空気圧センサ２，３，４，５からの各空気圧信号ＡＳ及び横加速度センサ６からの横加速度信号ＹＳを取り入れ、ランフラットタイヤに関する異常検知及び警報制御を行う。
【００２２】
ＥＣＵ８では、４輪のランフラットタイヤが正常の場合、空気圧信号ＡＳ，・・・による各ランフラットタイヤの空気圧についてパンク判定空気圧以上か否かをそれぞれ判定する。パンク判定空気圧は、ランフラットタイヤが通常のパンク（バーストなどによって大きく孔が開いたパンクを除く）状態にあるか否かを判定するための閾値であり、実験などによって設定される。
【００２３】
空気圧がパンク判定空気圧より低くなったランフラットタイヤがある場合、ＥＣＵ８では、警報信号ＷＳにパンク警報を示す信号を設定し、その警報信号ＷＳをコンビネーションメータのＥＣＵに送信する。一方、４輪のランフラットタイヤの空気圧が全てパンク判定空気圧以上の場合、ＥＣＵ８では、警報信号ＷＳに正常を示す信号を設定し、その警報信号ＷＳをコンビネーションメータのＥＣＵに送信する。
【００２４】
また、空気圧がパンク判定空気圧より低くなったランフラットタイヤがある場合、ＥＣＵ８では、一定時間毎に取り入れる横加速度信号ＹＳにより、横加速度が閾値より大きいか否かを判定する。閾値は、ランフラットタイヤのリード部とホイールとの嵌合力が低下する可能性のある状態を判定するための閾値であり、嵌合力が低下する際に車両に作用している横加速度より小さい横加速度であり、実験などによって設定される。また、車両が旋回すると横加速度が発生するので、閾値は旋回しているか否かを判定するための閾値でもある。図２に示すように、ランフラットタイヤのリード部とホイールとの嵌合力が低下した場合、装着しているランフラットタイヤとホイールとの関係で決まる所定の横加速度が車両に作用しており、車速に関係なく略一定である。したがって、閾値は、安全度を考慮して、この所定の横加速度より安全度分小さい横加速度が設定される。ちなみに、閾値として安全度を考慮しないでこの所定の横加速度程度を設定すると、ランフラットタイヤのリード部とホイールとの嵌合力が低下したことを判定することができる。
【００２５】
検出した横加速度が閾値より大きくなった場合、ＥＣＵ８では、警報信号ＷＳに嵌合力低下可能性警報を示す信号を設定し、その警報信号ＷＳをコンビネーションメータのＥＣＵに送信する。
【００２６】
図１及び図２を参照して、警報装置１の動作について説明する。特に、ＥＣＵ８における処理については、図３のフローチャートに沿って説明する。図３は、第１の実施の形態に係るＥＣＵでの処理の流れを示すフローチャートである。
【００２７】
各空気圧センサ２，３，４，５では、各輪のランフラットタイヤの空気圧を検出し、その検出値を空気圧信号ＡＳとしてＥＣＵ８に送信している。また、横加速度センサ６では、車両に作用する横加速度を検出し、その検出値を横加速度信号ＹＳとしてＥＣＵ８に送信している。
【００２８】
ＥＣＵ８では、一定時間毎に、各空気圧センサ２，３，４，５からの空気圧信号ＡＳをそれぞれ受信し、４輪のランフラットタイヤの空気圧を取得する（Ｓ１）。そして、ＥＣＵ８では、各輪のランフラットタイヤの空気圧がパンク判定空気圧以上か否かを判定する（Ｓ２）。
【００２９】
Ｓ２にて４輪全ての空気圧がパンク判定空気圧以上と判定した場合、ＥＣＵ８では、ランフラットタイヤは正常であると判定する。そして、ＥＣＵ８では、警報信号ＷＳに正常を示す信号を設定し、その警報信号ＷＳをコンビネーションメータのＥＣＵに送信し、Ｓ１の処理に戻る。この警報信号ＷＳを受信すると、コンビネーションメータのＥＣＵではウォーニングランプ７に対して電流を供給しない。そのため、ウォーニングランプ７は、消灯したままである。
【００３０】
一方、Ｓ２にて４輪のうちの少なくとも１つの空気圧がパンク判定空気圧より低いと判定した場合、ＥＣＵ８では、そのランフラットタイヤがパンク状態であると判定する。そして、ＥＣＵ８では、警報信号ＷＳにパンク警報を示す信号を設定し、その警報信号ＷＳをコンビネーションメータのＥＣＵに送信する（Ｓ３）。この警報信号ＷＳを受信すると、コンビネーションメータのＥＣＵではウォーニングランプ７を点灯させるための電流を供給する。そのため、ウォーニングランプ７は、点灯する。この場合、パンク状態ではあるが、ランフラットタイヤなので、車両は通常の走行が可能である。そのため、運転者は、ウォーニングランプ７の点灯でパンク状態であることを知るが、走行を続ける。
【００３１】
また、ＥＣＵ８では、一定時間毎に、横加速度センサ６からの横加速度信号ＹＳを受信し、車両に作用している横加速度を取得する（Ｓ４）。そして、ＥＣＵ８では、横加速度が閾値より大きいか否かを判定する（Ｓ５）。
【００３２】
Ｓ５にて横加速度が閾値以下と判定した場合、ＥＣＵ８では、ランフラットタイヤとホイールとの嵌合力が低下する可能性はないと判定し、次の横加速度を取得するためにＳ４の処理に戻る。
【００３３】
一方、Ｓ５にて横加速度が閾値より大きいと判定した場合、ＥＣＵ８では、車両が旋回中でありかつある程度大きな横加速度が発生しているので、ランフラットタイヤとホイールとの嵌合力が低下する可能性があると判定する。そして、ＥＣＵ８では、警報信号ＷＳに嵌合力低下可能性警報を示す信号を設定し、その警報信号ＷＳをコンビネーションメータのＥＣＵに送信する（Ｓ６）。この警報信号ＷＳを受信すると、コンビネーションメータのＥＣＵではウォーニングランプ７を点滅させるための電流を供給する。そのため、ウォーニングランプ７は、点滅する。このウォーニングランプ７の点滅によって、運転者は、ランフラットタイヤとホイールとの嵌合力が低下する可能性がある状態であることを知る。そこで、運転者は、ランフラットタイヤとホイールとの嵌合力が低下するのを防止するために（ひいては、車両の運動性能を低下するのを防止するために）、車両を減速させる。この減速によって、車両に作用する横加速度が小さくなり、ランフラットタイヤとホイールとの嵌合力は低下しない。
【００３４】
この警報装置１によれば、パンク状態のみならず、ランフラットタイヤとホイールとの嵌合力の低下する可能性がある状態を乗員（特に、運転者）に知らせることができ、運転者に対してこの嵌合力低下の可能性のある状態に対する対処措置を促す。これによって、運転者は、減速などによって横加速度を低下させたり、あるいは、早期に修理工場に行くなどしてパンク状態を解消する。
【００３５】
図２及び図４を参照して、第２の実施の形態に係る警報装置１１について説明する。図４は、第２の実施の形態に係る警報装置の構成図である。なお、警報装置１１では、第１の実施の形態に係る警報装置１と同様の構成について同一の符号を付し、その説明を省略する。
【００３６】
警報装置１１は、警報装置１と比較すると、ランフラットタイヤとホイールとの嵌合力が低下する可能性のある状態の判定方法が異なる。そのために、警報装置１１は、空気圧センサ２，３，４，５、操舵角センサ１２、車速センサ１３、ウォーニングランプ７及びＥＣＵ１８などを備えている。
【００３７】
なお、第２の実施の形態では、空気圧センサ２，３，４，５及びＥＣＵ１８における処理が特許請求の範囲に記載するランフラット状態検知手段に相当し、操舵角センサ１２及びＥＣＵ１８における処理が特許請求の範囲に記載する車両旋回検知手段に相当し、車速センサ１３が特許請求の範囲に記載する車速検知手段に相当し、ウォーニングランプ７及びＥＣＵ１８における処理が特許請求の範囲に記載する警報出力手段に相当する。
【００３８】
操舵角センサ１２は、ステアリングホイールから入力された操舵角の方向と大きさを検出するセンサである。操舵角センサ１２では、その検出値を操舵角信号ＫＳとしてＥＣＵ１８に送信する。車速センサ１３は、４輪に各々設けられ、各車輪の回転速度を検出するセンサである。車速センサ１３では、その検出値を車速信号ＳＳとしてＥＣＵ１８に送信する。
【００３９】
ＥＣＵ１８は、ＣＰＵ、ＲＯＭ、ＲＡＭなどからなる電子制御ユニットであり、警報装置１１の制御装置として機能する。ＥＣＵ１８では、一定時間毎に空気圧センサ２，３，４，５からの各空気圧信号ＡＳ、操舵角センサ１２からの操舵角信号ＫＳ及び車速センサ１３からの車速信号ＳＳを取り入れ、ランフラットタイヤに関する異常検知及び警報制御を行う。ＥＣＵ１８では、車速信号ＳＳを受信する毎に、各輪の回転速度から車速を演算する。
【００４０】
ＥＣＵ１８は、第１の実施の形態に係るＥＣＵ８と同様に、パンク検知及びパンク状態を検知した場合のパンク警報制御を行う。
【００４１】
空気圧がパンク判定空気圧より低くなったランフラットタイヤがある場合、ＥＣＵ１８では、一定時間毎に取り入れる操舵角信号ＫＳによる操舵角により、車両が旋回しているか否かを判定する。旋回判定としては、例えば、操舵角の絶対値が所定操舵角より大きくなった場合に旋回していると判定する。車両が旋回している場合、ＥＣＵ１８では、車速が閾値より高いか否かを判定する。閾値は、旋回中に車速に応じて発生する横加速度によってランフラットタイヤのリード部とホイールとの嵌合力が低下する可能性のある状態を判定するための閾値であり、実験などによって設定される。この閾値は、車速と横加速度との関係や図２に示すランフラットタイヤのリード部とホイールとの嵌合力が低下する際の所定の横加速度などに基づいて設定される。
【００４２】
車速が閾値より高くなった場合、ＥＣＵ１８では、警報信号ＷＳに嵌合力低下可能性警報を示す信号を設定し、その警報信号ＷＳをコンビネーションメータのＥＣＵに送信する。
【００４３】
図４及び図２を参照して、警報装置１１の動作について説明する。特に、ＥＣＵ１８における処理については、図５のフローチャートに沿って説明する。図５は、第２の実施の形態に係るＥＣＵでの処理の流れを示すフローチャートである。ここでは、Ｓ１からＳ３までの動作については第１の実施の形態と同様の動作なので、Ｓ１１以降の動作ついてのみ説明する。
【００４４】
ＥＵＵ１８では、一定時間毎に、車速センサ１３から車速信号ＳＳを受信し、車速を演算している。また、ＥＣＵ１８では、一定時間毎に、操舵角センサ１２から操舵角信号ＫＳを受信し、操舵角を取得している（Ｓ１１）。
【００４５】
ＥＣＵ１８では、この取得した操舵角により、車両が旋回しているか否かを判定する（Ｓ１２）。Ｓ１２にて旋回していないと判定した場合、ＥＣＵ１８では、ランフラットタイヤとホイールとの嵌合力が低下する可能性はないと判断し、Ｓ１１に戻って、繰り返し旋回判定を行う。
【００４６】
Ｓ１２にて旋回していると判定した場合、ＥＣＵ１８では、一定時間毎に演算している車速を用いて（Ｓ１３）、車速が閾値より高いか否かを判定する（Ｓ１４）。Ｓ１４にて車速が閾値以下と判定した場合、ＥＣＵ１８では、ランフラットタイヤとホイールとの嵌合力が低下する可能性はないと判断し、Ｓ１３に戻って、繰り返し車速判定を行う。
【００４７】
Ｓ１４にて車速が閾値より高いと判定した場合、ＥＣＵ１８では、ランフラットタイヤとホイールとの嵌合力が低下する可能性があると判断し、嵌合力低下可能性警報を示す信号を設定した警報信号ＷＳをコンビネーションメータのＥＣＵに送信する（Ｓ１５）。この警報信号ＷＳを受信すると、コンビネーションメータのＥＣＵではウォーニングランプ７を点滅させるための電流を供給し、ウォーニングランプ７が点滅する。このウォーニングランプ７の点滅によって、運転者はランフラットタイヤとホイールとの嵌合力が低下する可能性がある状態であることを知り、ランフラットタイヤとホイールとの嵌合力が低下するのを防止するために、車両を減速させる。この減速によって、車両に作用する横加速度が小さくなり、ランフラットタイヤとホイールとの嵌合力は低下しない。
【００４８】
この警報装置１１は、警報装置１と同様の効果を有している。
【００４９】
以上、本発明に係る実施の形態について説明したが、本発明は上記実施の形態に限定されることなく様々な形態で実施される。
【００５０】
例えば、本実施の形態ではタイヤとホイールとの嵌合力が低下する前の嵌合力が低下する可能性のある状態を判定し、その状態のときに警報を出力する構成としたが、タイヤとホイールとの嵌合力が低下した状態を判定し、その状態のときに警報を出力する構成としてもよい。このように構成した場合、運転者は、運動性能が低下していることを認識でき、車両を減速させるなどして車両の安定性の低下を抑制することができる。また、運転者によって、早期に、修理工場に行くなどの対処措置が採られる。
【００５１】
また、本実施の形態ではパンク状態での警報と嵌合力低下の可能性のある状態での警報を１つのウォーニングランプで行う構成としたが、２つのウォーニングランプで別々に行う構成としてもよいし、あるいは、音声、ブザーやモニタ表示などによる別の手段で行う構成としてもよい。
【００５２】
また、本実施の形態では車両が旋回しているか否かを横加速度や操舵角を用いて判断する構成としたが、操舵トルク、操舵角速度などを用いて判断する構成としてもよい。
【図面の簡単な説明】
【００５３】
【図１】第１の実施の形態に係る警報装置の構成図である。
【図２】ランフラットタイヤとホイールとの嵌合力が低下する際の車速と横加速度との関係を示す図である。
【図３】第１の実施の形態に係るＥＣＵでの処理の流れを示すフローチャートである。
【図４】第２の実施の形態に係る警報装置の構成図である。
【図５】第２の実施の形態に係るＥＣＵでの処理の流れを示すフローチャートである。
【符号の説明】
【００５４】
１，１１…警報装置、２…右前輪空気圧センサ、３…左前輪空気圧センサ、４…右後輪空気圧センサ、５…左後輪空気圧センサ、６…横加速度センサ、７…ウォーニングランプ、８，１８…ＥＣＵ、１２…操舵角センサ、１３…車速センサ
【図１】
2006199150.tif 000003
【図２】
2006199150.tif 000004
【図３】
2006199150.tif 000005
【図４】
2006199150.tif 000006
【図５】
2006199150.tif 000007